(57)【要約】      （修正有）【課題】植物や芝生に散水作業を行なうときに用いる散水用ホースを接続するための園芸用の流体ホース接続用コネクタを提供する。【解決手段】チューブ本体５０、締付用リング６０、弾性の固定部材７０、スリーブ８０から構成され、チューブ本体５０には複数の孔部５５が形成されており、弾性の固定部材７０には複数本の中心部尖頭状の錠止用フック７１１が形成されている。その間に空間が設けられた１対の垂直状に伸長する可撓性リブが、１つの錠止用フック７１１とそれに隣接する錠止用フック７１１との間に配置されており、つまり、錠止用フック７１１と１対の可撓性リブが交互に配置される構成となっている。各々の錠止用フック７１１はその下方に向かって円弧状の回避部７１４と支持部７１５が続いている構成とした。【選択図】図３
2008267529.tif 000002
【特許請求の範囲】
【請求項１】
園芸用の散水ホースに接続する園芸用の流体ホース接続用コネクタにおいて、
前記流体ホース接続用コネクタが、チューブ本体、締付用リング、弾性の固定部材並びにスリーブとから構成されており、
前記チューブ本体には、前記弾性の固定部材に形成された錠止用フックを収容するために複数個の孔部が備えられており、
前記弾性の固定部材の周縁には、それぞれの間に拡大用の空間を備えた複数対の垂直状の可撓性リブが配設されており、
前記スリーブの内側壁には、該スリーブが下方へ移動できるように、前記対になる垂直状の可撓性リブ各々と整合する位置に複数個の押圧用突起部が形成され、
前記対になる可撓性リブが押し付けられて変形することで反発力が生じ、スリーブが外部から加えられていた力を解除されたときに、この反発力で、前記スリーブの可撓性リブを元の位置へ瞬時に押し戻すことができるようにしたことを特徴とする園芸用の流体ホース接続用コネクタ。
【請求項２】
前記スリーブの内側壁に配設された前記複数個の押圧用突起部には、その両側に円弧状の案内面が形成されており、各々の前記押圧用突起部が押し付けられて前記拡大用の空間と係合していくにつれて、前記対になる垂直状の可撓性リブを滑らかに外側へ押し広げられるようにしたことを特徴とする請求項１記載の園芸用の流体ホース接続用コネクタ。
【請求項３】
前記スリーブの個々の押圧用突起部はＹ字形状に作られており、これにより、個々の該押圧用突起部が前記対になる垂直状の可撓性リブを外側へ押し広げるようにさせることを特徴とする請求項１記載の園芸用の流体ホース接続用コネクタ。
【請求項４】
前記スリーブの個々の押圧用突起部の底部には、下から上へだんだんと幅の狭くなっている円弧状の案内面が形成されており、各対になる可撓性リブが、前記円弧状の案内面の制限の下で内側の方へ互いに向かって動き、前記案内面によって拘束されるようになることを特徴とする請求項１記載の園芸用の流体ホース接続用コネクタ。
【請求項５】
前記錠止用フックは前記弾性の固定部材と一体に作られており、２組の対になる垂直状の可撓性リブの間に配置されていることを特徴とする請求項１記載の園芸用の流体ホース接続用コネクタ。
【請求項６】
前記弾性の固定部材の錠止用フックは、回避部が形成された円弧状の支持部に連続していることを特徴とする請求項１記載の園芸用の流体ホース接続用コネクタ。
【請求項７】
前記弾性の固定部材の周縁には前記複数の対になる可撓性リブの各対の間に交互に平坦支持壁部が形成されており、該支持壁の右側には、係止柱が上方へ伸長して配置されており、その左側には、案内開口を形成するように空間を置いて離隔して形成された制限柱が配置されており、前記係止柱および制限柱は互いに高さが同じで、それぞれに係合溝が形成されており、前記係止柱から始まり前記支持壁部の最低位置の案内開口まで摺動用スロープが配設されており、前記スリーブの内側壁周面には、各々の前記案内開口に相対向する位置にそれぞれ案内柱が配置され、該案内柱は前記案内開口に沿って摺動し、更に前記摺動用スロープに沿って摺動移動し、最終的に前記係止柱によって適所に係止され、前記錠止用フックが前記チューブ本体の孔部に係合することで、前記スリーブがこれ以上下方へ押し下げられなくなるようにしたことを特徴とする請求項１記載の園芸用の流体ホース接続用コネクタ。
【請求項８】
前記係止柱は逆Ｌ字形状に形成されていることを特徴とする請求項７記載の園芸用の流
体ホース接続用コネクタ。
【請求項９】
前記チューブ本体の周縁には複数個の支持ブロックが配設され、各支持ブロックは、前記孔部の下方に配置されていることを特徴とする請求項７記載の園芸用の流体ホース接続用コネクタ。
【請求項１０】
前記弾性の固定部材の各係止柱および制限柱の内側には、それぞれ、係合溝が形成されており、前記チューブ本体には、前記各係止柱および制限柱それぞれに対応して複数個の係合ブロックが配設され、それぞれ係合して強固な支持機能提供することを特徴とする請求項７記載の園芸用の流体ホース接続用コネクタ。
【請求項１１】
前記チューブ本体の周縁には支持ブロックが形成され、各支持ブロックは前記孔部の下に配置されていて、各支持ブロックの両隣りには、垂直状の係合ブロックがそれぞれ形成されており、前記弾性の固定部材には、前記チューブ本体の各支持ブロックが係合するように配置された内側くぼみ部をそれぞれ有する複数個の支持壁部が形成されており、該弾性の固定部材の係止柱と制限柱それぞれに係合溝が形成されていて、該チューブ本体にはこれら係止柱と制限柱のそれぞれの係合溝に互いに一致して対応する複数個の係合ブロックが配設されていることで、それぞれ係合して強固な支持機能を持たせるようにしたことを特徴とする請求項７記載の園芸用の流体ホース接続用コネクタ。
【請求項１２】
前記弾性の固定部材の各々の錠止用フックは、前記摺動用スロープの内側表面から一体に伸長していることを特徴とする請求項７記載の園芸用の流体ホース接続用コネクタ。
【請求項１３】
前記弾性の固定部材の各々の錠止用フックは、前記摺動用スロープの内側表面から一体に伸長して、円弧状の回避部を形成していることを特徴とする請求項７記載の園芸用の流体ホース接続用コネクタ。
【発明の詳細な説明】
【技術分野】
【０００１】
本発明は園芸用の流体ホース接続用コネクタに関し、更に具体的に説明すると、園芸用植物に散水するときのホースに接続して使用する園芸用の流体ホース接続用コネクタに関するものである。
【背景技術】
【０００２】
図１に、本願発明者が引用した従来の園芸用の流体ホース接続用コネクタの部品を分解した破断斜視図を示す。
【０００３】
この従来の園芸用の流体ホース接続用コネクタは、チューブ本体１０と、錠止用カラー２０、スリーブ３０、弾性固定部材４０から構成されている。
【０００４】
チューブ本体１０は端から端まで管状連通路が形成されていて、この端から端までの管状連通路に接続管１１が延在され、フランジ部分を形成するようになっている。
【０００５】
接続管１１の他端はチューブ本体１０の後端部まで延びていて、ここには複数個のくぼみ１２が形成されていて、チューブ本体１０の中間部には周囲に制限突起１３１を有する支持用フランジ１３が形成されている。
【０００６】
また、チューブ本体１０の前方部には、複数個の、軸方向に伸長し等間隔に離隔する案内溝１４があり、個々の案内溝１４は、案内用リブ１４１，１４２を備えている。そして、個々の案内溝１４には貫通孔１５が設けられており、そして更に、チューブ本体１０の前端部には密閉用フランジ１６が形成されている。
【０００７】
前記錠止用カラー２０は、その内面に終端部に向けて小径となるテーパーの付いた形状に形成されており、その内側に形成されたねじ部でチューブ本体１０に螺着して結合されるようになっている。従って、錠止用カラー２０をチューブ本体１０に螺着することでテーパー付き端部２１は締付け用くぼみ１２を押圧して、そこに挿入接続される散水用のホースや弾性を有するパイプの先端部を適所に挟持することができるようになっている。
【０００８】
更には、スリーブ３０には、その内側表面に、複数個の隣接ブロック３１が設けられ、前記チューブ本体１０の貫通孔１５と整合するように配置されている。
【０００９】
しかし、このような従来技術の流体ホース接続用コネクタ構造には、実際使用する際に次のような欠点がある。
【００１０】
１）弾性固定部材４０の弾性部品４３はほぼ円弧状に形成されているが、使用時においてスリーブ３０の作動時に強烈な水圧が加わったとき、図２に示すように、簡単に変形してしまいがちで、これにより、弾性力が減少したり、隣接ブロック３１の制限機能が損なわれたりする結果となる。そのため、流体ホース接続用コネクタ全体構造の操作寿命が短くなるのが避けがたい。
【００１１】
２）弾性固定部材４０の弾性部品４３が円弧状であるために、スリーブ３０が作動されたときに力が不均等にかかってしまい、錠止部４２が簡単に引っかかって動かなくなって、スリーブ３０を押したり引いたりする移動操作がスムーズに行かなくなり、不便である。
【００１２】
３）スリーブ３０を作動して下方に向けて押し付けている間、連結しているホースＡが錠止部４２から簡単に外れてしまいやすく、そのため、散水工程での強烈な水圧により連結しているホースＡが不意に吹き飛んでしまうようなことがあり、散水作業をしている人やその周囲にいる人達に図らずも水が掛ってずぶ濡れになるというようなことが起こる。
【００１３】
更に、米国特許第７，０２１，６６９号に開示された別の従来技術の流体ホース接続用コネクタには、連結部に収容された数多くの挿入体および圧縮バネが備えられている。このような構造は非常に複雑で、余りにも構成部品が多いため、装置の組立が難しく、時間
が掛るばかりか、生産コストも生産工程も余計に掛ることになる。
【特許文献１】米国特許第７，０２１，６６９号
【発明の開示】
【発明が解決しようとする課題】
【００１４】
本発明は、上記問題点を解決し、弾性固定部材の表面に形成された何組かの垂直可撓性リブと協働するスリーブの内部表面に複数個の押圧用突出部が備えられていて、各組の可撓性リブの拡大スペースが反発力を発生して、挿入した押圧突出部を後方に押し付けるようにして、外部圧力から解放されたスリーブが即座に元の位置へ戻るようになる、改良された園芸用の流体ホース接続用コネクタを提供することを目的とする。
【００１５】
また、本発明は、弾性固定部材が、支持壁部の内側表面くぼみ部と、係止柱と、制限用柱の整合溝とを利用することで、チューブ本体の支持ブロックと係合ブロックに対して隣接係合するようになるので、弾性固定部材に対し２重に構築された支持構造をもたらし、スリーブを下に押し付けて作動したときに大きな圧力がかかっても、従前の流体ホース接続用コネクタ構造よりも一層頑丈で耐久性あるようにすることのできる園芸用の流体ホース接続用コネクタを提供することをもう一つの目的とする。
【００１６】
更に、本発明は、スリーブにはその内側壁部周囲に、弾性固定部材の案内開口、摺動用スロープ、係合柱、制限柱と協働する複数個の案内柱が配設されており、各々の案内柱がそれぞれの制限柱から外れて摺動用スロープに沿って摺動して係止柱へ移動するようにすると共に、それ以上は下方へ下がらないよう係止柱のところで適所に制限するようにしたので、スリーブが適所でしっかりと固定されるようになり、スリーブが偶発的に押し下げられたときでも、外部から連結した散水用ホースが流体ホース接続用コネクタからの水圧であっと言う間に外れて水が方々に飛び散って周囲の人がびしょ濡れになる、ということのない安全な支持構造を有する園芸用の流体ホース接続用コネクタを提供することを更に別の目的とする。
【００１７】
また更に、本発明は、チューブ本体の係合ブロックが、係合柱の整合用溝に一致して係合するように用いられているので、これにより、弾性固定部材がスリーブの回転に伴って回転してしまうということがなく、従って、スリーブの位置決めを一層正確に制御することができる園芸用の流体ホース接続用コネクタを提供することを更に別の目的とする。
【課題を解決するための手段】
【００１８】
上述の目的を達成するため、本発明の園芸用の流体ホース接続用コネクタにあっては、前記流体ホース接続用コネクタが、  チューブ本体、締付用リング、弾性の固定部材並びにスリーブとから構成されており、前記チューブ本体には、前記弾性の固定部材に形成された錠止用フックを収容するために複数個の孔部が備えられており、前記弾性の固定部材の周縁には、それぞれの間に拡大用の空間を備えた複数対の垂直状の可撓性リブが配設されており、前記スリーブの内側壁には、該スリーブが下方へ移動できるように、前記対になる垂直状の可撓性リブ各々と整合する位置に複数個の押圧用突起部が形成され、前記対になる可撓性リブが押し付けられて変形することで反発力が生じ、スリーブが外部から加えられていた力を解除されたときに、この反発力で、前記スリーブの可撓性リブを元の位置へ瞬時に押し戻すことができるようにしたことを特徴とする。
【００１９】
請求項２の発明は、請求項１記載の園芸用の流体ホース接続用コネクタにおいて、前記スリーブの内側壁に配設された前記複数個の押圧用突起部には、その両側に円弧状の案内面が形成されており、各々の前記押圧用突起部が押し付けられて前記拡大用の空間と係合していくにつれて、前記対になる垂直状の可撓性リブを滑らかに外側へ押し広げられるようにしたことを特徴とする。
【００２０】
請求項３の発明は、請求項１記載の園芸用の流体ホース接続用コネクタにおいて、前記スリーブの個々の押圧用突起部はＹ字形状に作られており、これにより、個々の該押圧用突起部が前記対になる垂直状の可撓性リブを外側へ押し広げるようにさせることを特徴とする。
【００２１】
請求項４の発明は、請求項１記載の園芸用の流体ホース接続用コネクタにおいて、前記スリーブの個々の押圧用突起部の底部には、下から上へだんだんと幅の狭くなっている円弧状の案内面が形成されており、各対になる可撓性リブが、前記円弧状の案内面の制限の下で内側の方へ互いに向かって動き、前記案内面によって拘束されるようになることを特徴とする。
【００２２】
請求項５の発明は、請求項１記載の園芸用の流体ホース接続用コネクタにおいて、前記錠止用フックは前記弾性の固定部材と一体に作られており、２組の対になる垂直状の可撓性リブの間に配置されていることを特徴とする。
【００２３】
請求項６の発明は、請求項１記載の園芸用の流体ホース接続用コネクタにおいて、前記弾性の固定部材の錠止用フックは、回避部が形成された円弧状の支持部に連続していることを特徴とする。
【００２４】
請求項７の発明は、請求項１記載の園芸用の流体ホース接続用コネクタにおいて、前記弾性の固定部材の周縁には前記複数の対になる可撓性リブの各対の間に交互に平坦支持壁部が形成されており、該支持壁の右側には、係止柱が上方へ伸長して配置されており、その左側には、案内開口を形成するように空間を置いて離隔して形成された制限柱が配置されており、前記係止柱および制限柱は互いに高さが同じで、それぞれに係合溝が形成されており、前記係止柱から始まり前記支持壁部の最低位置の案内開口まで摺動用スロープが配設されており、前記スリーブの内側壁周面には、各々の前記案内開口に相対向する位置にそれぞれ案内柱が配置され、該案内柱は前記案内開口に沿って摺動し、更に前記摺動用スロープに沿って摺動移動し、最終的に前記係止柱によって適所に係止され、前記錠止用フックが前記チューブ本体の孔部に係合することで、前記スリーブがこれ以上下方へ押し下げられなくなるようにしたことを特徴とする。
【００２５】
請求項８の発明は、請求項７記載の園芸用の流体ホース接続用コネクタにおいて、前記係止柱は逆Ｌ字形状に形成されていることを特徴とする。
【００２６】
請求項９の発明は、請求項７記載の園芸用の流体ホース接続用コネクタにおいて、前記チューブ本体の周縁には複数個の支持ブロックが配設され、各支持ブロックは、前記孔部の下方に配置されていることを特徴とする。
【００２７】
請求項１０の発明は、請求項７記載の園芸用の流体ホース接続用コネクタにおいて、前記弾性の固定部材の各係止柱および制限柱の内側には、それぞれ、係合溝が形成されており、前記チューブ本体には、前記各係止柱および制限柱それぞれに対応して複数個の係合ブロックが配設され、それぞれ係合して強固な支持機能提供することを特徴とする。
【００２８】
請求項１１の発明は、請求項７記載の園芸用の流体ホース接続用コネクタにおいて、前記チューブ本体の周縁には支持ブロックが形成され、各支持ブロックは前記孔部の下に配置されていて、各支持ブロックの両隣りには、垂直状の係合ブロックがそれぞれ形成されており、前記弾性の固定部材には、前記チューブ本体の各支持ブロックが係合するように配置された内側くぼみ部をそれぞれ有する複数個の支持壁部が形成されており、該弾性の固定部材の係止柱と制限柱それぞれに係合溝が形成されていて、該チューブ本体にはこれら係止柱と制限柱のそれぞれの係合溝に互いに一致して対応する複数個の係合ブロックが配設されていることで、それぞれ係合して強固な支持機能を持たせるようにしたことを特徴とする。
【００２９】
請求項１２の発明は、請求項７記載の園芸用の流体ホース接続用コネクタにおいて、前
記弾性の固定部材の各々の錠止用フックは、前記摺動用スロープの内側表面から一体に伸長していることを特徴とする。
【００３０】
請求項１３の発明は、請求項７記載の園芸用の流体ホース接続用コネクタにおいて、前記弾性の固定部材の各々の錠止用フックは、前記摺動用スロープの内側表面から一体に伸長して、円弧状の回避部を形成していることを特徴とする。
【発明の効果】
【００３１】
本発明の園芸用の流体ホース接続用コネクタでは、弾性固定部材の表面に形成された数組の垂直可撓性リブと協働するスリーブの内部表面に複数個の押圧用突出部が備えられていて、各組の可撓性リブの拡大スペースがリブに対して反発力を提供することにより、挿入した押圧突出部を後方に押し付けるようになり、スリーブが外部圧力から解放されて即座に元の位置へ戻るようになる、という構成により、従来の流体ホース接続用コネクタでは弾性部品の寿命や劣化で、スリーブが下方へ押し付けられたときに弾性の固定部材が引っかかって動かなくなる、という問題を防止できるようになることで、一つには流体ホース接続用コネクタの操作がスムーズになるという利点が生まれ、また、バネを全く使用しないで製造することにより、製造コストを著しく軽減できると共に、製造にあたる労働力を減らすことができるため、人件費も節約できることにより、生産経済性および市場競争力という視点においても著しく効果をもたらすという利点がある。
【発明を実施するための最良の形態】
【００３２】
以下、図面と共に、本発明の好ましい実施例を説明する。
【実施例１】
【００３３】
図３は、本発明の園芸用の流体ホース接続用コネクタの構成部品を分解して示す概略分解斜視図である。図４は要部拡大図である。
【００３４】
本発明の流体ホース接続用コネクタは、チューブ本体５０、締付用リング６０、弾性の固定部材７０、スリーブ８０から構成される。
【００３５】
チューブ本体５０には、水などの流体を放出するために端部が開放している流体通路５１が形成されている。チューブ本体５０の一端部には、外部にねじ山の付いた雄ねじ部５２ａが配置され、それに続いて、軸方向に伸長し且つ周方向に配置された複数個の可撓性締付用くぼみ５２ｂが形成されているので、内部にねじ山が形成されたテーパー付き雌ねじ部６１を有する締付用リング６０が前記雄ねじ部５２ａと協働して、これから挿入される外部ホース(チューブ)を適所に挟持するように作用する。
【００３６】
チューブ本体５０の上方（流体の下流側）の他端部には、その周縁に複数の密閉用フランジ５３が形成されている。
【００３７】
チューブ本体５０の中間部には平坦な支持周縁部５４が形成されていて、その上方に、複数の孔部５５が位置付けられており、該孔部５５の両側にはそれぞれに垂直の限定用リブ５５１が形成されており、それぞれの孔部５５と孔部５５との間には、それぞれ水平状の隣接リブ５５２が形成されている。
【００３８】
弾性の固定部材７０はプラスチックで一体成形されたもので、円形のリング座があり、そこから、チューブ本体５０の孔部５５に対応して、複数本の中心部尖頭状の錠止用フック７１１が上方に向かって伸び出ている。その間に空間が設けられた１対の垂直状に伸長する可撓性リブ７１２が、１つの錠止用フック７１１とそれに隣接する錠止用フック７１１との間に配置されている。
【００３９】
つまり、錠止用フック７１１と１対の可撓性リブ７１２が交互に配置される構成となっている。各々の錠止用フック７１１はその下方に向かって円弧状の回避部７１４と支持部７１５が設けられている。
【００４０】
スリーブ８０は、その内周面に、チューブ本体５０の孔部５５と密封用フランジ５３に対応して、それぞれ複数個の隣接ブロック８１と保持用くぼみ８２とが設けられており、保持用くぼみ８２に続いて、前記固定部材７０の空間７１３に相対向する位置に、円弧状案内面８３１を有する押圧用突起部８３が形成されている。Ｙ字形をした前記押圧用突起８３には、二股フォーク部分と、滑らかな案内面とが形成されている。
【００４１】
本発明の流体ホース接続用コネクタを組立てるには、図５および図６に示すように、まず、弾性の固定部材７０を、その円形リング座７１がチューブ本体５０の支持周縁部５４に当接するまで、チューブ本体５０の上端部から嵌合させて押し入れて行くと、錠止用フック７１１がチューブ本体５０の孔部５５に一致してチューブ本体５０に係合し、弾性の固定部材７０の垂直状の可撓性リブ７１２の上部がチューブ本体５０の水平状の隣接リブ５５２の周囲縁に隣接した状態になって、錠止用フック７１１はチューブ本体５０のそれぞれの垂直状の制限用リブ５５１間に嵌る。
【００４２】
次に、スリーブ８０がチューブ本体５０を収容できるように、スリーブ８０の隣接ブロック８１をチューブ本体５０の孔部５５の位置に合わせて位置付けると、保持用くぼみ８２が密閉用フランジ５３と合わさるようになるため、押圧用突起部８３が、拡大用の空間７１３に相対向するそれぞれの可撓性リブ７１２の尖端部に一致して隣接するように位置付けられる。このとき、隣接ブロック８１に隣接された状態にある錠止用フック７１１は、流体通路５１へ突き出るようになり、接続しているホース（図示せず）を適所に挟持できることとなる。
【００４３】
この状態で、図７に示すようにスリーブ８０を下方へ押し下げると、押圧用突起８３の案内面８３１が水平状の隣接リブ５５２に沿って垂直状の可撓性リブ７１２の脇を自動的に移動して、押圧用突起８３が拡大用の空間７１３の中へはめ込まれて落ち込む。同時に、隣接ブロック８１も下がって凹形状の回避部７１４の中へ移動し、錠止用フック７１１が隣接ブロック８１の隣接状態における移動制限を受けなくなる。
【００４４】
このようにして、接続するホース（図示せず）を、チューブ本体５０の流体通路５１に係合したり或いは取り外したりすることができるようになる。
【００４５】
スリーブ８０が押圧状態を受けなくなると、垂直状の可撓性リブ７１２も押圧用突起部８３の隣接状態における移動制限をうけなくなり、案内面８３１に沿ってその可撓性を回復し、スリーブ８０を瞬間的に上方へ押し上げてその元の位置に戻るようになる。
【００４６】
これにより操作が簡単に且つスムーズになり、従来の流体ホース接続用コネクタのように、スリーブが圧縮力を受けた時に変形および弾性疲労により詰まって動かなくなるといったような不具合を防止できるようになる。
【００４７】
これが操作を理想的な状態で一定状態に保ち、使用時の経費の節約ならびにスプリングの設置を節約することができ、これにより、経済的視点から流体ホース接続用コネクタの製造を一層好ましくさせることができ、その生産が競争市場において一層競争力があるようにさせることができる。
【００４８】
さらに、図８および図９には、上述の第１の実施例のうち、スリーブの円弧状案内面が別の形態になるものを示す。
【００４９】
この実施の形態では、スリーブ８０の押圧突起部８３’に、底部から上部にかけて幅がだんだん狭くなっている円弧状案内面８３１’が形成されており、スリーブ８０が下方へ押し下げられたときに、対の可撓性リブ７１２，７１２それぞれが、案内面８３１’の制限を受けながら隣接リブ５５２の周縁に沿って互いに近づくように拡大用の空間７１３の方へ曲がって行かざるを得なくなり、最後には、案内面８３１’によって拘束される。
【００５０】
スリーブ８０が押し付け状態から外されると、即座に、可撓性リブ７１２も案内面８３１’の拘束から解除され、外方へ跳ね返って元の位置の方へ戻り、これによりスリーブ８０を瞬間的に次回操作までの待機状態へと戻す。
【実施例２】
【００５１】
図１０〜図１３は本発明の第２の実施例を示しており、図１０はこの実施例の構成部品分解斜視図である。
【００５２】
まず、図１１〜図１３を参照して第２実施例の説明をする。
【００５３】
チューブ本体５０には、その真上に配置されている孔部５５と直線的に合致するように配列された複数個の支持ブロック５６が形成されている。支持ブロック５６の両側には、係合ブロック５６１が配置形成され、孔部５５の両側に配置されている支持ブロック５６は、各々対をなす係合ブロック５６１と係合ブロック５６１との間に位置するように配置されている。
【００５４】
弾性の固定部材７０のそれぞれの回避部７１４の下には支持壁部７２が形成されており、その内側表面には、支持ブロック５６がそこへ一致して嵌り込むようにくぼみ部７２１が設けられている。
【００５５】
支持壁部７２の右側には、逆Ｌ字形状となる係止柱７２２が上方へ向かって伸長している。また、支持壁部７２の左側には、案内開口７４が設けられており、制限用柱７３が離隔して形成されている。前記係止柱７２２と制限用柱７３とは互いに同じ高さに形成されており、それぞれ、嵌合溝７２２１および７３１が設けられている。
【００５６】
係止柱７２２から始まり案内開口７４までの間は、支持壁部７２の下方部に続く摺動用スロープ７２３が形成されている。そして、この摺動用スロープ７２３の内側表面から、係止用フック７１１の回避部７１４はが上方に伸長して形成されている。
【００５７】
スリーブ８０の隣接ブロック８１には、円弧状の接触平坦面８１１に連通して下方に伸長する滑らかに傾斜している面が設けてある。各々の接触ブロック８１の底部には弾性の固定部材７０の案内開口７４と整合する垂直状の案内柱８４が形成されている。押圧用突起部８３の底部の両隅には、それぞれ、角を取って滑らかに加工された案内隅部８３１が形成されている。
【００５８】
さらに、図１４〜図１７を参照すると、まず、弾性の固定部材７０の錠止用フック７１１をチューブ本体５０の孔部５５に嵌合するようにして、弾性の固定部材７０をチューブ本体５０の上端部から嵌入してチューブ本体５０と係合させると、円形リング７１が支持周縁部５４に接触するようになる。
【００５９】
このようにすることで、錠止用フック７１１は孔部５５と錠止係合状態になり、両サイドがそれぞれ制限リブ５５１に制限されて拘束状態となり、支持ブロック５６に一致して接合状態に寄りかかるようになるので、一層強力な支持構造が構築される。
【００６０】
また、両側のそれぞれの係合ブロック５６１と、係止柱７２２とその整合用くぼみ７２２１と、制限用柱７３の整合用くぼみ７３１とが、それぞれ互いに係合し合うので、組立式の強固な支持構造を形成することができる。
【００６１】
これにより、弾性の固定部材７０を実際に制限及び位置決め用の構成部材として機能させることができるようになる。
【００６２】
このように弾性の固定部材７０とチューブ本体５０を組み合わせてから、次に、スリーブ８０を上から被せて、スリーブ８０の隣接ブロック８１をチューブ本体５０の孔部５５
に並ぶように合せ、チューブ本体５０とスリーブ８０とを力を入れてカチッと係合させると、保持用くぼみ部８２がチューブ本体５０の密閉用フランジ５３の内側に入り込んで弾性的に係合状態になる。このとき、押圧用突起部８３は垂直状の可撓性リブ７１２の上端部に隣接して位置して、拡大用の空間７１３と向かい合うようになり、案内柱８４が案内開口７４に互いに一致して対向し、係止柱７２２に制限される。そして、錠止用フック７１１は隣接ブロック８１の接触平面８１の接触作用を受けて、チューブ本体５０の流体通路５１の中へ飛び出すようになり、これにより、（不図示の）外部から接続したホースをしっかりと挟み付ける。
【００６３】
そして、図１８及び図１９に示すように、スリーブ８０が押されて案内柱８４が案内用柱７４に沿って下方へ移動すると、押圧用突起部８３の案内隅部８３１が垂直状の可撓性リブ７１２，７１２を横方向へ押し付けるようになり、拡大用の空間７１３の中へ滑り込んでゆき、同時に、隣接ブロック８１も回避部７１４の下方へ押し付けられて移動してゆき、錠止用フック７１１が接触平面８１１との隣接状態から外れる。このような状態になったときに、外部接続ホースをチューブ本体５０の流体通路へ挿入したりそこから取り外したりすることができるようになる。
【００６４】
スリーブ８０を押し付けるのを止めると、押圧用突起部８３の隣接係合から解放された垂直状の可撓性リブ７１２が案内隅部８３１に沿って反発力を生み、スリーブ８０の案内柱８４および隣接ブロック８１を上方に押し上げ、元の位置へ戻すようにする。
【００６５】
このような構造により、操作がスムーズで簡単になり、従来の流体ホース接続用コネクタで起こっていたような、使用時にスリーブ８０が下に押し付けられる操作が繰り返されているうちに、弾性部分が変形したり弾性疲労を起して動かなくなったり詰まってしまう、という問題を防止できるようになる。
【００６６】
更にまた、弾性の固定部材７０は、支持壁部７２の内側くぼみ部７２１および係止柱７２２と、その整合用溝７２２１、そして制限用柱７３の整合用溝７３１を使用することで、これら部材がそれぞれ支持ブロック５６および係止ブロック５６１に係合して支持されるので、スリーブ８０が下方へ押し付けられる場合でも、強力な支持力が得られ、これにより、弾性の固定部材７０の組立を耐久性あるものとさせ、相当に大きな力が加わっても簡単に損傷することのないようにできる。
【００６７】
また、本発明の流体ホース接続用コネクタでは、バネ部品を全く使用していないので、製造コストを削減することができると共に、製造にあたる労働力も節約できるので、一層優位な市場競争力をもたせることができる。
【００６８】
図２０および図２１に示すように、散水作業をする場合には、案内柱８４を制限用柱７３のところから摺動用スロープ７２３に沿って係止用柱７２３まで動かす。すると、スリーブ８０はもう下方へは押されない状態になり、案内柱８４と係止柱７２２との拘束制限作用により適所に保持されたままになる。このような構成により、スリーブ８０は作業中に不意に下方へ押し付けられることはないので、大きな水圧が掛ったことで接続のホースが瞬時に外れてしまうというようなことが防止され、作業に当っている人やその周囲の人達が突発的に水を被ってびしょ濡れになるということがなくなる。
【００６９】
同時に、チューブ本体５０の個々の係合ブロック５６１が、整合用溝７２２１と制限柱の整合用溝７３１とに係合し合うことで、弾性の固定部材７０がスリーブ８０の回転に沿って同時に回転することがないようにするので、更に正確な方法で制御して固定することができる。
【００７０】
さらに、図２２および図２３には、上述の第２の実施例のうち、スリーブの円弧状の案
内面が別の形態になるものを示す。この実施の形態ではスリーブ８０には、底部から上部までだんだん狭まっている案内面８３１’を有する円弧状の押圧突起部８３’がある。スリーブ８０が下に押されると、２本の垂直状の可撓性リブ７１２が案内面８３１’に沿って移動して行き、だんだんと狭まっている案内面８３１’の形状に対応してこれら２本の垂直状の可撓性リブ７１２が傾いてゆき、互いに拡大用の空間７１３の中に入り込んで、案内面８３１’に制限されて閉じ込められる。スリーブ８０の拘束力が解除されると、個々の拡大用の空間７１３に閉じ込められている２本の可撓性リブ７１２の反発力が生まれ外方へ広がり、スリーブを瞬間的に上方へ押し上げ、次の操作状態のための位置へ戻す。
【００７１】
本発明では好ましい実施例を前述の通り開示したが、これらは決して本発明を限定するものではなく、当該技術を熟知する者なら誰でも、本発明の精神と領域を脱しない範囲内で各種の変更や修正を加えることができ、従って本発明明の保護範囲は、特許請求の範囲で指定した内容を基準とする。
【図面の簡単な説明】
【００７２】
【図１】従来の園芸用の流体ホース接続用コネクタを示す概略分解斜視図。
【図２】図１のスリーブが下方へ押し下げられたときの係合状態を示す概略図。
【図３】本発明の第１実施例の園芸用の流体ホース接続用コネクタを示す概略分解斜視図。
【図４】本発明の第１実施例の園芸用の流体ホース接続用コネクタのスリーブの一部を示す概略断面斜視図。
【図５】本発明の園芸用の第１実施例の流体ホース接続用コネクタの弾性の固定部材及びチューブ本体を組立てた状態を示す概略斜視図。
【図６】本発明の園芸用の第１実施例の流体ホース接続用コネクタにおいて、スリーブ、弾性の固定部材、チューブ本体を組み立てた状態の概略破断図。
【図７】図６の組立状態からスリーブが押し下げられたときの状態を示す概略破断図。
【図８】本発明の第１実施例であるが、円弧状案内面が別の実施の形態になるスリーブと、弾性の固定部材と、チューブ本体との組立状態を示す断面図。
【図９】図８の組立状態からスリーブが押し下げられたときの状態を示す概略断面図
【図１０】本発明の第２実施例の園芸用の流体ホース接続用コネクタを示す概略分解斜視図。
【図１１】図１０の要部の拡大分解図。
【図１２】図１１に示す、スリーブ、弾性の固定部材、チューブ本体それぞれの一部断面図。
【図１３】図１１の弾性の固定部材の一部断面外略図。
【図１４】図１１に示す、スリーブ、弾性の固定部材、チューブ本体を組み立てた状態を示す斜視図。
【図１５】図１１に示す、スリーブ、弾性の固定部材、チューブ本体の組立状態を示す第１の断面図。
【図１６】図１１に示す、スリーブ、弾性の固定部材、チューブ本体の組立状態を示す第２の断面図。
【図１７】図１１に示す、スリーブ、弾性の固定部材、チューブ本体の組立状態を示す第３の断面図。
【図１８】図１１に示す、スリーブ、弾性の固定部材、チューブ本体の組立状態からスリーブが押し下げられたときの状態を示す概略断面図。
【図１９】図１１に示す、スリーブ、弾性の固定部材、チューブ本体の組立状態からスリーブが押し下げられたときの状態を示す別の概略断面図。
【図２０】図１１の実施例の案内柱が係合状態から外れて、弾性の固定部材の摺動用スロープを移動しているところを示す概略断面図。
【図２１】図１１の実施例の案内柱が弾性の固定部材の摺動用スロープを移動して適所に係止して拘束された状態を示す概略断面図。
【図２２】本発明の第２実施例であるが、円弧状案内面が別の実施の形態になるスリーブと、弾性の固定部材と、チューブ本体との組立状態を示す概略断面図。
【図２３】図２２の組立状態からスリーブが下方へ押し下げられたときの状態を示す概略断面図。
【符号の説明】
【００７３】
５０      チューブ本体
５１      流体通路
５３      密閉用フランジ
５４      支持周縁部
５５      孔部
５５１    限定用リブ
５５２    隣接リブ
５６      支持ブロック
５６１    係合ブロック
６０      締付用リング
６１      雌ねじ部
７０      弾性の固定部材
７１      円形のリング座
７１１    錠止用フック
７１３    空間
７１４    回避部
７１５    支持部
７２      支持壁部
７２２    係止柱
７２２１  整合用くぼみ
７３      制限用柱
７３１    整合用くぼみ
７４      案内開口
８０      スリーブ
８１      隣接ブロック
８１１    円弧状の接触平坦面
８２      保持用くぼみ
８３      押圧用突起部
８３１    円弧状の案内面
８３’    押圧突起部
８３１’  円弧状の案内面
８４      垂直状の案内柱
【図１】
2008267529.tif 000003
【図２】
2008267529.tif 000004
【図３】
2008267529.tif 000005
【図４】
2008267529.tif 000006
【図５】
2008267529.tif 000007
【図６】
2008267529.tif 000008
【図７】
2008267529.tif 000009
【図８】
2008267529.tif 000010
【図９】
2008267529.tif 000011
【図１０】
2008267529.tif 000012
【図１１】
2008267529.tif 000013
【図１２】
2008267529.tif 000014
【図１３】
2008267529.tif 000015
【図１４】
2008267529.tif 000016
【図１５】
2008267529.tif 000017
【図１６】
2008267529.tif 000018
【図１７】
2008267529.tif 000019
【図１８】
2008267529.tif 000020
【図１９】
2008267529.tif 000021
【図２０】
2008267529.tif 000022
【図２１】
2008267529.tif 000023
【図２２】
2008267529.tif 000024
【図２３】
2008267529.tif 000025